(57)【要約】【課題】使用済みの封筒を回覧用封筒として長期間使用できるようにする。【解決手段】上下に開口部２１，２２を有する筒状の書類挿入部１を封筒２００の開口部から挿入し、書類挿入部１の前面上端部から延出されて形成されたカバー２を前面側に折り返しし、カバー２に形成されたポケット３に宛先記入用紙４を挿入する。使用に際しては、書類挿入部１の上端の開口部２１から下端の開口部２２を通して封筒２００の中に書類３００を入れ、書類の回覧に用いられる。また、カバー２のポケット３の上部に形成されたストッパ８と、書類挿入部１の前面上端部から延出されて形成されたフラップ９とを設け、それぞれ、カバー２が書類挿入部１からはずれるのを防止し、封筒２００の中に挿入された書類３００が開口部２１から抜け落ちるのを防止する。【選択図】  図１
0003123112.tif 000002
【実用新案登録請求の範囲】
【請求項１】
上端部および下端部に開口部を有し、この上端開口部から書類を挿入する書類挿入部と、
前記書類挿入部の前面上端部から延出されて形成されたカバーと、
前記カバーの前面に設けられた宛先記入用紙を挿入するためのポケットと、
前記書類挿入部の背面上端部から延出されて形成され、封筒の背面上端部を押さえる封筒押さえ部と、
前記封筒押さえ部の両端部からそれぞれ延出されて形成された第１の舌部および第２の舌部とを備え、
前記第１の舌部および第２の舌部は、前記封筒押さえ部の両端部で前方に折り返されて、前記カバーの前面上端部を押さえる
ことを特徴とする回覧用封筒傷み防止カバー。
【請求項２】
前記第１の舌部および第２の舌部を押さえ、前記カバーが前記封筒の前面上端部から離れないようにするストッパをさらに備える
ことを特徴とする請求項１に記載の回覧用封筒傷み防止カバー。
【請求項３】
前記書類挿入部の前面上端部から延出されて形成され、前記開口部を封鎖するフラップをさらに備える
ことを特徴とする請求項１または２に記載の回覧用封筒傷み防止カバー。
【請求項４】
前記封筒押さえ部には、前記フラップの先端を挿入して前記フラップを固定するための挿入孔が形成される
ことを特徴とする請求項３に記載の回覧用封筒傷み防止カバー。
【請求項５】
前記フラップには留め具と紐が設けられ、前記封筒押さえ部には留め具が設けられ、前記紐を前記フラップおよび前記封筒押さえ部の双方の各留め具に括り付けることによって前記フラップと前記封筒押さえ部とを固定する
ことを特徴とする請求項３に記載の回覧用封筒傷み防止カバー。
【考案の詳細な説明】
【技術分野】
【０００１】
本考案は、回覧用封筒傷み防止カバーに関するもので、特に、使用済みの封筒をリサイクルして社内で利用するときに、傷みにくくするようにした回覧用封筒傷み防止カバーに関する。
【背景技術】
【０００２】
従来より、会社等においては、使用済みの封筒の表面に送信元および受信先を記入する欄を印刷した用紙を貼り付け、送信元および受信先を記入して書類の回覧等を行っていた。しかし、封筒は紙で出来ているため、開口部はすぐに傷み、数回使用した後は廃棄せざるを得なかった。
【０００３】
そこで、宛名を記載する表面部の上端に、裏面部へ向けて折り返される閉止用舌片が延設されてなる封筒であって、閉止用舌片の裏面部と接着する面に合成樹脂からなる層が形成され、舌片裏側上端には、該舌片上端を横切るように第１両面粘着テープが貼着され、裏面部上端には、該裏面部上端を横切るように第２両面粘着テープが貼着され、舌片を封筒裏面側に折り曲げた状態において、第１両面粘着テープが第２両面粘着テープを超えて下方に位置するととともに、舌片には第１両面粘着テープと第２粘着テープとの間を横切るようにミシン目が施され、郵送時に封筒が開いたり破損したりすること無く、また、社内回覧用の封筒として複数回使用可能な封筒が提案されている（特許文献１）。
【特許文献１】実登3103599号公報
【考案の開示】
【考案が解決しようとする課題】
【０００４】
しかしながら、特許文献１の考案では、封筒そのものがミシン目等を形成された合成樹脂でできており、一方、封筒の舌片の接着に粘着テープ等を用いる必要があり、封筒の製造コストが上がるという問題があった。
【０００５】
本考案はこのような状況に鑑みてなされたものであり、使用済みの既存の封筒に簡易に装着して、従来のものよりもより長期間使用することができる回覧用封筒傷み防止カバーを提供することを目的とする。
【課題を解決するための手段】
【０００６】
請求項１に記載の回覧用封筒傷み防止カバーは、上端部および下端部に開口部を有し、この開口部から書類を挿入する書類挿入部と、前記書類挿入部の前面上端部から延出されて形成されたカバーと、前記カバーの前面に設けられた宛先記入用紙を挿入するためのポケットと、前記書類挿入部の背面上端部から延出されて形成され封筒の背面上端部を押さえる封筒押さえ部と、前記封筒押さえ部の両端部からそれぞれ延出されて形成された第１の舌部および第２の舌部とを備え、前記第１の舌部および第２の舌部は、前記封筒押さえ部の両端部で前方に折り返されて、前記カバーの前面上端部を押さえることを特徴とする。
【０００７】
また、好ましくは、前記第１の舌部および第２の舌部を押さえ、前記カバーが前記封筒の前面上端部から離れないようにするストッパをさらに備えることを特徴とする。
【０００８】
また、好ましくは、前記書類挿入部の前面上端部から延出されて形成され、前記開口部を封鎖するフラップをさらに備えるようにしたことを特徴とする。
【０００９】
また、好ましくは、前記封筒押さえ部には、前記フラップの先端を挿入して前記フラップを固定するための挿入孔が形成されることを特徴とする。
【００１０】
また、好ましくは、前記フラップには留め具と紐が設けられ、前記封筒押さえ部には留め具が設けられ、前記紐を前記フラップおよび前記封筒押さえ部の双方の各留め具に括り付けることによって前記フラップと前記封筒押さえ部とを固定することを特徴とする。
【考案の効果】
【００１１】
本考案によれば、使用済みの封筒に装着するだけで、封筒を使い回しすることによる傷みの発生を軽減させることができるので、封筒をそのまま使用した場合と比較してより長期間の使用を可能にし、それによってゴミを低減させることができる。
【考案を実施するための最良の形態】
【００１２】
第１の実施の形態
以下、本考案の実施の形態について図面を参照しながら説明する。図１は、第１の実施の形態の回覧用封筒傷み防止カバー１００の前面斜視図である。図２は、第１の実施の形態の回覧用封筒傷み防止カバー１００の背面図である。図１において、回覧用封筒傷み防止カバー１００は、上下にそれぞれ開口部２１，２２を有し、書類を挿入できるように形成された書類挿入部１と、書類挿入部１の前面の上端部から延出されて形成されたカバー２と、書類挿入部１の背面の上端部から延出されて形成された封筒押さえ部７と、カバー２に設けられた宛先記入用紙４（図７参照）を挿入するための透明な部材からなるポケット３から構成されている。
【００１３】
また、図２に示すように、回覧用封筒傷み防止カバー１００は、封筒押さえ部７の両端から延出して形成された第１の舌部５および第２の舌部６を有している。第１の舌部５には固定部１１が形成され、第２の舌部６の端部には挿入孔１２が形成される。この固定部１１は、第２の舌部５の先端部分の２箇所を図２のように横方向に切断することによって形成され、固定部１１の両側にはひれ部１３、１４が形成される。第１の舌部５および第２の舌部６は、背面から前面に折り返され、図１に示されるように、第１の舌部５の固定部１１が第２の舌部６の挿入孔１２に挿入される。このように、第１の舌部５の固定部１１を第２の舌部６の挿入孔１２に挿入することによって、封筒押さえ部７、第１の舌部５および第２の舌部６でカバー２を包囲し、カバー２が持ち上がらないように固定する。
【００１４】
図３は、図１に示される第１の実施の形態の回覧用封筒傷み防止カバー１００をＡ−Ａ線で切断したときの端面を示す図である。図３において、書類挿入部１の上端前面にはカバー２が形成され、上端背面には封筒押さえ部７が形成されている。封筒押さえ部７、第１の舌部５および第２の舌部６が書類挿入部１の周囲を包囲することによって、カバー２および封筒押さえ部７が書類挿入部１から離れることを防止するとともに、後述するように、書類挿入部１とカバー２間および書類挿入部１と封筒押さえ部７間に挿入される封筒が容易にはずれないようにしている。
【００１５】
図４は、回覧用封筒傷み防止カバー１００を封筒に装着する状態を示す前面斜視図である。回覧用封筒傷み防止カバー１００の第１の舌部５および第２の舌部６を開いた状態で、封筒２００の図示しない上端開口部を書類挿入部１の下方から挿入し、封筒２００の上端開口部がカバー２と書類挿入部１の間、および封筒押さえ部７と書類挿入部１の間を通過し、書類挿入部１の上端部に届くまで矢印Ｂの向きに押し込む。その後、第１の舌部５および第２の舌部６をカバー２の上から前面に折り返した後、第１の舌部５の固定部１１を第２の舌部６の挿入孔１２に挿入することによって第１の舌部５および第２の舌部６が固定される。このような方法によって、封筒２００は回覧用封筒傷み防止カバー１００にしっかりと固定される。
【００１６】
図５は、第１の実施の形態の回覧用封筒傷み防止カバー１００の使用状態を示す前面斜視図である。図５において書類挿入部１の開口部２１から書類３００が挿入される。カバー２が前面に折り返され、次に、封筒押さえ部７が背面に折り返され、さらに、封筒押さえ部７の両端部に形成された第１の舌部５および第２の舌部６がそれぞれ前面に折り返されて、カバー２の上を包囲し、第１の舌部５の固定部１１が第２の舌部６の挿入孔１２に挿入されて、第１の舌部５と第２の舌部６が固定される。この状態では、カバー２は、封筒２００から離れないように固定される。
【００１７】
図６は、図５に示した第１の実施の形態の回覧用封筒傷み防止カバー１００のＣ−Ｃ線で切断したときの端面を示す図である。図６に示すように、書類３００は、書類挿入部１の開口部２１から開口部２２を通して封筒２００の中に入れることができる。このように書類３００を封筒２００の中に入れると、書類を出し入れするとき、封筒２００の開口部に直接触れることがないので、封筒２００の傷みを防止することができる。
【００１８】
また、カバー２は封筒２００の前面上部を覆うように配置されるので、ポケット３に挿入した宛先記入用紙４に記入された送信元および受信先を容易に確認することができる。
【００１９】
図７は、ポケット３に挿入される宛先記入用紙４の例を示す図である。この例では、宛先記入用紙は、送信元として、所属部署、氏名等を記入する欄と、受信先（送信先）として、所属部署、氏名等を記入する欄等からなる。
第２の実施の形態
図８は、本考案の第２の実施の形態の回覧用封筒傷み防止カバー１０１の構成例を示す前面斜視図である。第２の実施の形態の回覧用封筒傷み防止カバー１０１は、図１に示される第１の実施の形態の回覧用封筒傷み防止カバー１００に、さらに、カバー２のポケット３の上部に形成されたストッパ８と、書類挿入部１の前面上端部から延出されて形成されたフラップ９とを設けた点が異なり、その他の点は第１の実施の形態の回覧用封筒傷み防止カバー１００と同じであるので詳細な説明は省略する。
【００２０】
ストッパ８は、上述のようにカバー２のポケット３の上部に形成される長方形のシートで構成され、その下部はポケット３の上部に接着され、上端部が開放されている。ストッパ８の上端部は、第１の舌部５および第２の舌部６を押さえるように構成され、この押さえによって、第１の舌部５および第２の舌部６がはずれないようにするとともに、カバー２が書類挿入部１からはずれるのを防止できる。
【００２１】
フラップ９は、書類挿入部１の前面上端部から延出されて形成され、開口部２1を覆うように後ろ側に折り曲げられ、書類挿入部１から挿入された書類３００が、開口部２１から抜け落ちるのを防止できる。
【００２２】
図９は、本考案の第２の実施の形態の回覧用封筒傷み防止カバー１０１を封筒２００に装着する状態を示す前面斜視図である。図４に示す第１の実施の形態の回覧用封筒傷み防止カバー１０１と比べ、ストッパ８およびフラップ９が設けられている点が異なる。
【００２３】
図９において、回覧用封筒傷み防止カバー１０１の第１の舌部５および第２の舌部６を開いた状態で、封筒２００の図示されない上端開口部を書類挿入部１の下方から挿入し、封筒２００の上端開口部がカバー２と書類挿入部１の間、および封筒押さえ部７と書類挿入部１の間を通過し、書類挿入部１の上端部に届くまで矢印Ｂの向きに押し込む。その後、ストッパ８の上端を少し持ち上げた状態で、第１の舌部５および第２の舌部６をカバー２の上から前面に折り返し、ストッパ８の下に通した後、第１の舌部５の固定部１１を第２の舌部６の挿入孔１２に挿入することによって第１の舌部５および第２の舌部６が固定される。このような挿入方法によって、封筒２００は回覧用封筒傷み防止カバー１０１にしっかりと固定される。しかも、第１の舌部５および第２の舌部６は、ストッパ８によってしっかりと押さえられるので、第１の舌部５と第２の舌部６がはずれることは無くなる。
【００２４】
図１０は、第２の実施の形態の回覧用封筒傷み防止カバー１０１の使用状態を示す前面斜視図である。図１０は、図５に示される第１の実施の形態の回覧用封筒傷み防止カバー１００と比べ、ストッパ８およびフラップ９が設けられている点が異なる。このストッパ８によって、第１の舌部５および第２の舌部６はしっかりと押さえられるので、第１の舌部５と第２の舌部６がはずれることは無くなる。また、フラップ９によって、書類挿入部１から挿入された書類が、開口部２１から抜け落ちるのを防止できる。その他の点は、図５に示される第２の実施の形態と同様であるので詳細な説明を省略する。
【００２５】
図１１は、図１０に示した第２の実施の形態の回覧用封筒傷み防止カバー１０１のＤ−Ｄ線で切断したときの端面を示す図である。。図１１は、図６に示される第１の実施の形態の回覧用封筒傷み防止カバー１００と比べ、ストッパ８およびフラップ９が設けられている点が異なる。図１１において、第１の舌部５および第２の舌部６がストッパ８の内側に挿入され、ストッパ８によってしっかりと押さえられている様子が分かる。また、フラップ９は、書類挿入部１の前面上端部から延出されて形成され、開口部２1を覆うように後ろ側に折り曲げられている様子が分かる。このように、フラップ９が開口部２１を取り巻いているので、書類挿入部１から挿入された書類３００が、開口部２１から抜け出るのを防止できる。また、図１１に示すように、書類３００は、書類挿入部１の開口部２１、開口部２２を挿通して、封筒２００の中に挿入されていることが分かる。
【００２６】
図１２は、図９に示した第２の実施の形態の回覧用封筒傷み防止カバー１０１の背面斜視図である。書類挿入部１の背面上端部から延出されて形成された封筒押さえ部７の中央下部には、フラップ９の先端を挿入する挿入孔１０が設けられる。書類挿入部１の前面上端部から延出されて形成されたフラップ９の先端を封筒押さえ部７に設けられた書類挿入部１０に挿入することによりフラップ９を固定することができる。これにより、フラップ９が開くことがなくなり、開口部２１を確実に封鎖でき、内部の書類３００が外に飛び出すことを防止できる。
第３の実施の形態
図１３は、本考案の第３の実施の形態の回覧用封筒傷み防止カバー１０２を封筒２００に装着した状態を背面の左上方から見た背面斜視図である。本実施の形態においては、フラップ９に留め具１５と留め具１５に一端が固定された紐１７を設け、封筒押さえ部７に留め具１６を設け、紐１７を留め具１５と留め具１６の間で交互に数回に亘り括り付けることにより、フラップ９を封筒押さえ部７に固定して封筒２００を封鎖することができるようになっている。
【００２７】
本考案は、上述した実施の形態に限定されるものではなく、この考案の要旨を逸脱しない範囲内で様々な変形や応用が可能である。
【産業上の利用可能性】
【００２８】
本考案は、封筒をリサイクルして使用する場合に、封筒の傷みを軽減して繰り返し使用可能な回数を大幅に延ばし、ゴミを低減させる回覧用封筒傷み防止カバーとして利用可能である。
【図面の簡単な説明】
【００２９】
【図１】本考案の第１の実施の形態の回覧用封筒傷み防止カバーの構成例を示す前面斜視図である。
【図２】本考案の第１の実施の形態の回覧用封筒傷み防止カバー０の背面斜視図である。
【図３】図１に示される第１の実施の形態の回覧用封筒傷み防止カバーをＡ−Ａ線で切断したときの端面を示す図である。
【図４】本考案の第１の実施の形態の回覧用封筒傷み防止カバーを封筒に装着する状態を示す前面斜視図である。
【図５】本考案の第１の実施の形態の回覧用封筒傷み防止カバーの使用状態を示す前面斜視図である。
【図６】図５のＣ−Ｃ線で切断したときの端面を示す図である。
【図７】ポケットに挿入される宛先記入用紙の例を示す図である。
【図８】本考案の第２の実施の形態の回覧用封筒傷み防止カバーの構成例を示す前面斜視図である。
【図９】本考案の第２の実施の形態の回覧用封筒傷み防止カバーを封筒に装着する状態を示す前面斜視図である。
【図１０】本考案の第２の実施の形態の回覧用封筒傷み防止カバーの使用状態を示す前面斜視図である。
【図１１】図１０のＤ−Ｄ線で切断したときの端面を示す図である。
【図１２】本考案の第２の実施の形態の回覧用封筒傷み防止カバーの背面斜視図である。
【図１３】本考案の第３の実施の形態の回覧用封筒傷み防止カバーを封筒に装着した状態を示す背面斜視図である。
【符号の説明】
【００３０】
１  書類挿入部
２  カバー
３  ポケット
４  宛先記入用紙
５  第１の舌部
６  第２の舌部
７  封筒押さえ部
８  ストッパ
９  フラップ
１０  挿入孔
１１  固定部
１２  挿入孔
１３，１４  ひれ部
１５，１６  留め具
１７  紐
２１，２２  開口部
１００〜１０２  回覧用封筒傷み防止カバー
２００  封筒
３００  書類
【図１】
0003123112.tif 000003
【図２】
0003123112.tif 000004
【図３】
0003123112.tif 000005
【図４】
0003123112.tif 000006
【図５】
0003123112.tif 000007
【図６】
0003123112.tif 000008
【図７】
0003123112.tif 000009
【図８】
0003123112.tif 000010
【図９】
0003123112.tif 000011
【図１０】
0003123112.tif 000012
【図１１】
0003123112.tif 000013
【図１２】
0003123112.tif 000014
【図１３】
0003123112.tif 000015